(57)【要約】【課題】１種類のＤＰ袋のみで受注から納品までフィルムと写真の流通及び伝票処理を行うことができる上に、未現像のフィルム、さらには現像処理後のネガフィルムや写真が移動中に落ちることがなく、しかも必要に応じてプリントケースとして利用できる。【解決手段】一方の短辺側が開口した封筒状の袋であって、その表面には小型の複写伝票をその一側により所定枚数貼付してあり、その内側には一方の長辺を底部とするポケット３を内蔵しており、一方の長辺側と他方の短辺側の隣接する２辺を開けることにより、ポケット３を有する収納部分１ａと蓋となるカバー部分１ｂの二つ折り形状となる。１種類のＤＰ袋のみで受注から納品までフィルムと写真の流通及び伝票処理を行うことができるばかりか、封筒状の袋に入れて移動するので落下するのを防止でき、しかも、ＤＰ袋を二つ折り形状とすることにより、プリントケースと同様な形態で使用することができる。【選択図】図３
2005067714.tif 000002
【特許請求の範囲】
【請求項１】
一方の短辺側が開口した封筒状の袋であって、その表面には小型の複写伝票をその一側により所定枚数貼付してあり、その内側には一方の長辺を底部とするポケットを内蔵しており、一方の長辺側と他方の短辺側の隣接する２辺を開けることにより、ポケットを有する収納部分と蓋となるカバー部分の二つ折り形状となることを特徴とするＤＰ袋。
【発明の詳細な説明】
【技術分野】
【０００１】
本発明は、写真の現像、焼付けのサービス（ＤＰサービス）を行う業者が、依頼者から預かったフィルムを処理し、ネガフィルムと写真を依頼者へ納品する際に使用されるＤＰ袋に関するものである。
【背景技術】
【０００２】
従来、ＤＰサービスを行う業者は、伝票が貼付された封筒状の袋と、ネガフィルム及び写真を収納できる二つ折りのプリントケースを使用してＤＰサービスを実施している。すなわち、依頼者から未現像のフィルムを預かると、封筒状の袋に貼付された伝票に所定事項を記入し、１枚目の伝票を引換券として依頼者に手渡し、封筒状の袋にフィルムを入れて現像処理工程に回す。そして、ＤＰ作業が終了すると、伝票に数量、単価、合計金額などを記入するとともに、封筒状の袋とは別のプリントケースに現像済みのフィルムと写真を収納し、このケースを封筒状の袋に収納して、依頼者へ引き渡すようにしている。この時に２枚目の伝票を控として保管するのである。
【０００３】
ところが、このようなやり方では、封筒状の袋とプリントケースの２種類の用具を必要とし、そのうち封筒状の袋はゴミとして捨てられる場合が多いという事情があることから、１種類のＤＰ袋のみで、受注から納品までフィルムと写真の流通及び伝票処理を行うようにしたものが知られている。
【特許文献１】特開２００２−１０４４３０号公報
【発明の開示】
【発明が解決しようとする課題】
【０００４】
特許文献１に記載のＤＰ袋は、二つ折り形状となったもので、その一側にネガフィルム及び写真を収納するためのポケットが形成してあり、他側は蓋となっており、ポケットを設けた側の表面に伝票欄が設けられ、この伝票欄に一組の複写伝票がその一側により貼付されている。そして、ＤＰサービス業者は、依頼を受けると、伝票に所定事項を記入し、１枚目の伝票を引換券として依頼者へ渡し、受注した未現像のフィルムをＤＰ袋のポケットに収納して現像処理工程へ回すようになっている。現像処理工程では、現像、焼付けなどの処理を行い、価格などの所定事項を記入し、ネガフィルムと写真をＤＰ袋のポケットに収納して受付窓口へ回す。受付窓口では２枚目の伝票を控として保管し、ネガフィルムと写真の入ったＤＰ袋を依頼者へ渡す。
【０００５】
このように、特許文献１に記載のＤＰ袋は、ＤＰ袋以外に一切の用具を使用することがなく、受注から納品までフィルムと写真を流通させ、伝票処理を行うことができるというものである。しかしながら、受注した未現像のフィルムをポケットに入れて現像処理工程へ回すため、移動する間にポケットから落ちてしまうという問題がある。特に、別の離れた場所で現像する場合のように集配の搬送距離が長いと、袋のポケットから未現像のフィルムが落ちたり、さらには現像処理後のネガフィルムや写真が落ちたり、これらを入れてあった袋が分からなくなるという事態が生じる。
【０００６】
本発明は、このような問題点に鑑みてなされたものであり、その目的とするところは、１種類のＤＰ袋のみで受注から納品までフィルムと写真の流通及び伝票処理を行うことができる上に、未現像のフィルム、さらには現像処理後のネガフィルムや写真が移動中に落ちることがなく、しかも必要に応じてプリントケースとして利用できるようにしたＤＰ袋を提供することにある。
【課題を解決するための手段】
【０００７】
上記の目的を達成するため、本発明のＤＰ袋は、一方の短辺側が開口した封筒状の袋であって、その表面には小型の複写伝票をその一側により所定枚数貼付してあり、その内側には一方の長辺を底部とするポケットを内蔵しており、一方の長辺側と他方の短辺側の隣接する２辺を開けることにより、ポケットを有する収納部分と蓋となるカバー部分の二つ折り形状となることを特徴としている。
【発明の効果】
【０００８】
本発明のＤＰ袋は、一方の短辺側が開口した封筒状の袋であって、その表面には小型の複写伝票をその一側により所定枚数貼付してあり、その内側には一方の長辺を底部とするポケットを内蔵しており、一方の長辺側と他方の短辺側の隣接する２辺を開けることにより、ポケットを有する収納部分と蓋となるカバー部分の二つ折り形状となることを特徴としているので、１種類のＤＰ袋のみで受注から納品までフィルムと写真の流通及び伝票処理を行うことができてコストの削減や省資源化が図れるばかりか、未現像のフィルム、さらには現像処理後のネガフィルムや写真を封筒状の袋に入れて移動するので、受付窓口と離れた場所で現像処理を行うような場合でもそれらが移動中に落下するのを防止でき、しかも、ＤＰ袋を受け取った依頼者は、ＤＰ袋を二つ折り形状とすることにより、従来のプリントケースと同様な形態で使用することができる。
【発明を実施するための最良の形態】
【０００９】
図１及び図２は本発明に係るＤＰ袋の具体的な一例を示すもので、図１はその正面図、図２は背面図である。
【００１０】
図１及び図２に示すＤＰ袋１は、上方が開口した封筒状の袋であって、表面には伝票欄が設けられそこに小型の複写伝票２がその一側により所定枚数貼付してある。また、これらの図では見えないが、袋の内側には図１の状態で見て左辺（図２の状態で見て右辺）を底部とするポケットを内蔵している。そして、ＤＰ袋１の左辺側と下側の隣接する２辺を開けることにより、図３に示す如く、そのポケット３を有する収納部分１ａと蓋となるカバー部分１ｂの二つ折り形状とすることができる。
【００１１】
なお、図１において４で示すものは、ＤＰ袋１における表側の上辺に設けられた２つの切込であり、これらの切込４の間の部分は、袋を開けて中身を出し入れする時の取っ掛かりの役目を果たすようになっている。また、図２において５で示す部分は、表側から折曲げ状態で連設し、適宜のところで袋の裏面に糊付けされた折返し部分であり、この折返し部分５は次に説明する製造手順の関係から必要な部分である。
【００１２】
このＤＰ袋１は、オフセット輪転印刷機にて連続用紙の表裏に印刷を施し、印刷済みの連続用紙をインライン加工機にて連続的に加工することで封筒状の袋とし、別工程にてその袋に伝票を貼り付けることで製造される。
【００１３】
インライン加工機による封筒状の袋への加工手順は図４及び図５に示すとおりであり、この加工手順を具体的な実寸に基づいて説明する。
【００１４】
オフセット輪転印刷機により所定の印刷が施された巾が４６０ｍｍの用紙Ｓをインライン加工機に導く。そしてまず最初に、パターンパーフォレーター（打抜き胴）にて、図４（ａ）に示すように、長さ１５ｍｍの切込４を巾が４０ｍｍとなるように２つ入れる。次に、パターングルアー（糊付け装置）にて、図４（ｂ）に示すように、ポケットを形成するために所定の位置に糊ａを塗布した後、図４（ｃ）に示すように、第１プラウにて１回目の折を行う。このように１回折してポケット３を形成した後、図４（ｄ）に示すように、ミシン刃にてミシン目ｂを入れる。
【００１５】
次いで、ミニパターングルアーにて、図５（ａ）に示すように、所定の位置に仮接着糊ｃを塗布した後、図５（ｂ）に示すように、第３プラウにて２回目の折を行う。続いて、図５（ｃ）に示すように、ライングルアーにて袋の裏側の適宜の位置に糊ｄを塗布した後、図５（ｄ）に示すように、第４プラウにてミシン目ｂに沿って最後の折を行い、折返し部分５を袋の裏面に貼り付ける。そして、ロータリーカッター胴により、トリミングをしながら所定の長さにカットする。
【００１６】
このようにして連続用紙Ｓから加工された封筒状の袋における伝票欄に別工程で伝票２を貼り付ける。この貼付工程は、例えば３枚綴りの伝票のように嵩があるものは機械で貼ることができるが、１枚もののように軽くて機械にはかからないものは手作業によって貼るようにする。
【００１７】
上記で説明したＤＰ袋１のうち３枚綴りの伝票２を貼付したＤＰ袋１の使用方法は次のようである。ＤＰ業者は依頼を受けると、受付窓口で所定事項を伝票２に記入してから、１枚目の伝票を引換券として依頼者に手渡し、受注した未現像のフィルムをＤＰ袋１の中に収納して現像処理工程に回す。現像処理は同じ店内で行ってもよいし、別のところにある現像所でまとめて行ってもよい。この移動に際して、未現像のフィルムは封筒状の袋に入っているので、ＤＰ袋１から落ちることはない。
【００１８】
現像処理工程では、現像、焼付けなどの処理を行い、価格などの所定事項を記入し、ネガフィルムと写真をＤＰ袋１に収納して受付窓口に戻す。この現像処理を行う場所から受付窓口への移動に際して、ネガフィルムと写真は封筒状の袋に入っているので、ＤＰ袋１から落ちることはない。そして、受付窓口では、２枚目の伝票を控として保管し、ネガフィルムと写真の入ったＤＰ袋１を依頼者に手渡す。
【００１９】
そして、ＤＰ袋１を受け取った依頼者は、ＤＰ袋１の左辺側にあるミシン目ｂを破断するとともに下側の仮接着糊ｃで貼着された部分を剥がして、隣接する２辺を開けることにより、図３に示すように、ポケット３を有する収納部分１ａと蓋となるカバー部分１ｂの二つ折り形状とし、そのポケット３にネガフィルムと写真を入れて保管することができる。この保管方法については、ＤＰ袋１における表裏の適宜の場所にその説明を印刷しておくようにする。もちろん、保管する人の都合により、封筒状の袋のままで保管しても構わない。
【００２０】
なお、折返し部分５は、製造上は必要なもので、袋としては不要なものであるが、必要に応じて種々の用途に利用することができる。
【００２１】
以上、本発明の実施の形態について詳細に説明してきたが、本発明によるＤＰ袋は、上記実施の形態に何ら限定されるものではなく、本発明の趣旨を逸脱しない範囲において種々の変更が可能であることは当然のことである。
【図面の簡単な説明】
【００２２】
【図１】本発明に係るＤＰ袋の具体的な一例を示す正面図である。
【図２】図１に示すＤＰ袋の背面図である。
【図３】図１に示すＤＰ袋を開けた状態で示す展開図である。
【図４】インライン加工機による封筒状の袋への加工手順の前半の工程を示す説明図である。
【図５】インライン加工機による封筒状の袋への加工手順の後半の工程を示す説明図である。
【符号の説明】
【００２３】
１    ＤＰ袋
１ａ  収納部分
１ｂ  カバー部分
２    伝票
３    ポケット
４    切込
５    折返し部分
ａ    糊
ｂ    ミシン目
ｃ    仮接着糊
ｄ    糊
【図１】
2005067714.tif 000003
【図２】
2005067714.tif 000004
【図３】
2005067714.tif 000005
【図４】
2005067714.tif 000006
【図５】
2005067714.tif 000007